(57)【要約】【課題】過給遅れにより生じる２段加速を抑制することで、スムーズな加速を実現でき、加速フィーリングを向上させることができる過給器付きエンジン搭載車両の変速制御装置および変速制御方法を提供することを課題とする。【解決手段】本発明は、過給圧検出部を制御して過給圧を取得し、取得された過給圧が所定の範囲内にあるか否か（すなわち、過給圧が負圧から正圧になる圧力を含む範囲内や過給圧が最大過給圧になる圧力を含む範囲内にあるか否か）を判定し、過給圧が所定の範囲内にあると判定された場合、変速比を一時的にハイギヤ側に変更するよう無段変速機を制御する。【選択図】        図３
2009299818.tif 000002
【特許請求の範囲】
【請求項１】
無段変速機と過給圧検出部とに接続され、制御部を備えた過給器付きエンジン搭載車両の変速制御装置であって、
上記制御部は、
上記過給圧検出部を制御して過給圧を取得する過給圧取得手段と、
上記過給圧取得手段により取得された上記過給圧が所定の範囲内にあるか否かを判定する過給圧判定手段と、
上記過給圧判定手段により上記過給圧が上記所定の範囲内にあると判定された場合、変速比を一時的にハイギヤ側に変更するよう上記無段変速機を制御する変速機制御手段と、
を備えたことを特徴とする、変速制御装置。
【請求項２】
請求項１に記載の変速制御装置において、
上記所定の範囲は、上記過給圧が負圧から正圧になる圧力を含む範囲であることを特徴とする、変速制御装置。
【請求項３】
請求項１〜２のいずれか一つに記載の変速制御装置において、
上記所定の範囲は、上記過給圧が最大過給圧になる圧力を含む範囲であることを特徴とする、変速制御装置。
【請求項４】
無段変速機と過給圧検出部とに接続され、制御部を備えた過給器付きエンジン搭載車両の変速制御装置において実行される変速制御方法であって、
上記制御部において実行される、
上記過給圧検出部を制御して過給圧を取得する過給圧取得ステップと、
上記過給圧取得ステップにて取得された上記過給圧が所定の範囲内にあるか否かを判定する過給圧判定ステップと、
上記過給圧判定ステップにて上記過給圧が上記所定の範囲内にあると判定された場合、変速比を一時的にハイギヤ側に変更するよう上記無段変速機を制御する変速機制御ステップと、
を含むことを特徴とする、変速制御方法。
【請求項５】
請求項４に記載の変速制御方法において、
上記所定の範囲は、上記過給圧が負圧から正圧になる圧力を含む範囲であることを特徴とする、変速制御方法。
【請求項６】
請求項４〜５のいずれか一つに記載の変速制御方法において、
上記所定の範囲は、上記過給圧が最大過給圧になる圧力を含む範囲であることを特徴とする、変速制御方法。
【発明の詳細な説明】
【技術分野】
【０００１】
本発明は、過給器付きエンジン搭載車両の変速制御装置および変速制御方法に関する。
【背景技術】
【０００２】
従来から、過給器付きエンジン搭載車両の制御装置が開発されている。
【０００３】
例えば、特許文献１に記載の駆動力制御装置は、過給付きエンジンと無段変速機の組み合わせにおいて、過給遅れにより駆動力が不足する場合に目標エンジン回転数を大側に補正（変速比をローギヤ側に変更）している。
【０００４】
また、特許文献２に記載の変速制御装置は、過給圧がピークに達するエンジン回転数以下（ターボラグが大きい領域）では、加速ダウンシフトを禁止することにより、ダウンシフト変更により生じる変速ショックを抑制している。
【０００５】
また、特許文献３に記載のパワートレインの制御装置は、過給器の過給状態を考慮して自動変速機の制御に用いる変速線の位置を変更することで、過給遅れによるエンジン回転数の上昇遅れを抑制している。
【０００６】
また、特許文献４に記載の自動変速制御装置は、過給器の作動有無および運転者の加速要求度に基づいて、自動変速機の制御に用いる変速パターンを決定している。
【０００７】
また、特許文献５および特許文献６に記載の自動変速機の制御装置は、ターボラグが検出された場合にシフトダウン制御を行っている。
【０００８】
【特許文献１】特開２００１−０７３８２３号公報
【特許文献２】特開平０７−２４３５１６号公報
【特許文献３】特開２００６−１３８３９１号公報
【特許文献４】特開平０４−１４３１２８号公報
【特許文献５】特開昭６２−２２８７４２号公報
【特許文献６】特開昭６２−２２８７３９号公報
【発明の開示】
【発明が解決しようとする課題】
【０００９】
しかしながら、従来の過給器付きエンジン搭載車両の制御装置（特許文献１〜特許文献６等）においては、変速ショックや過給遅れにより車両の前後加速度が急に変化するため、スムーズな加速を実現できず、加速フィーリングが悪いという問題点を有していた。
【００１０】
ここで、図１は、従来技術における発進加速の一例を示す図である。図１に示すように、従来の過給器付きエンジン搭載車両の制御装置では、車両は最大変速比（図１（ｄ）参照）から発進加速するが、過給遅れ（図１（ｃ）参照）により、図１（ｅ）に示すように、一旦前後加速度が落ち込み、その後最大過給圧に近づくにつれて再度加速するという「２段加速」を生じさせてしまい、スムーズな加速を実現できず、加速フィーリングが悪いという問題点を有していた。
【００１１】
例えば、特許文献１に記載の駆動力制御装置では、無段変速機を用いることにより変速ショックを無くし、加速開始直後の過給遅れによる駆動力不足を解消することができるものの、上述の過給遅れによる２段加速が生じてしまうので、スムーズな加速を実現できず、加速フィーリングが悪いという問題点を有していた。また、特許文献１に記載の駆動力制御装置では、中間加速など最大変速比を使用していない場合は、変速比をローギヤ側に変更することで目標駆動力を確保することは可能であるが、発信時のように最大変速比を使用している場合には、これ以上ローギヤ側に変更することができないという問題点を有していた。
【００１２】
また、特許文献２に記載の変速制御装置では、最大過給圧以下のターボラグが大きい領域において、変速比をダウンシフトに変更することで加速させる操作（エンジン回転数を上げトルクを増加させ加速する動作）を禁止するので、加速ダウンシフトにより生じる変速ショックを抑制できるものの、依然として、過給遅れにより上述の２段加速が生じてしまうので、スムーズな加速を実現できず、加速フィーリングが悪いという問題点を有していた。
【００１３】
また、その他の特許文献３〜特許文献５に記載の技術も同様に、上述の過給遅れによる２段加速が生じてしまうので、スムーズな加速を実現できず、加速フィーリングが悪いという問題点を有していた。
【００１４】
本発明は、上記に鑑みてなされたもので、過給遅れにより生じる２段加速を抑制することで、スムーズな加速を実現でき、加速フィーリングを向上させることができる過給器付きエンジン搭載車両の変速制御装置および変速制御方法を提供することを目的とする。
【課題を解決するための手段】
【００１５】
このような目的を達成するため、本発明の変速制御装置は、無段変速機と過給圧検出部とに接続され、制御部を備えた過給器付きエンジン搭載車両の変速制御装置であって、上記制御部は、上記過給圧検出部を制御して過給圧を取得する過給圧取得手段と、上記過給圧取得手段により取得された上記過給圧が所定の範囲内にあるか否かを判定する過給圧判定手段と、上記過給圧判定手段により上記過給圧が上記所定の範囲内にあると判定された場合、変速比を一時的にハイギヤ側に変更するよう上記無段変速機を制御する変速機制御手段と、を備えたことを特徴とする。
【００１６】
また、本発明の変速制御装置は、上記記載の変速制御装置において、上記所定の範囲は、上記過給圧が負圧から正圧になる圧力を含む範囲であることを特徴とする。
【００１７】
また、本発明の変速制御装置は、上記記載の変速制御装置において、上記所定の範囲は、上記過給圧が最大過給圧になる圧力を含む範囲であることを特徴とする。
【００１８】
また、本発明の変速制御方法は、無段変速機と過給圧検出部とに接続され、制御部を備えた過給器付きエンジン搭載車両の変速制御装置において実行される変速制御方法であって、上記制御部において実行される、上記過給圧検出部を制御して過給圧を取得する過給圧取得ステップと、上記過給圧取得ステップにて取得された上記過給圧が所定の範囲内にあるか否かを判定する過給圧判定ステップと、上記過給圧判定ステップにて上記過給圧が上記所定の範囲内にあると判定された場合、変速比を一時的にハイギヤ側に変更するよう上記無段変速機を制御する変速機制御ステップと、を含むことを特徴とする。
【００１９】
また、本発明の変速制御方法は、上記記載の変速制御方法において、上記所定の範囲は、上記過給圧が負圧から正圧になる圧力を含む範囲であることを特徴とする。
【００２０】
また、本発明の変速制御方法は、上記記載の変速制御方法において、上記所定の範囲は、上記過給圧が最大過給圧になる圧力を含む範囲であることを特徴とする。
【発明の効果】
【００２１】
この発明によれば、過給圧検出部を制御して過給圧を取得し、取得された過給圧が所定の範囲内にあるか否かを判定し、過給圧が所定の範囲内にあると判定された場合、変速比を一時的にハイギヤ側に変更するよう無段変速機を制御するので、過給器付きエンジン搭載車両において、過給遅れにより生じる２段加速を抑制することができる。これにより、本発明は、スムーズな加速を実現でき、加速フィーリングを向上させることができるという効果を奏する。
【００２２】
また、この発明によれば、過給圧の所定の範囲は、過給圧が負圧から正圧になる圧力を含む範囲であるので、過給器付きエンジン搭載車両において、発進直後に生じる急な加速を抑えることができ、飛び出し感を抑制することができるという効果を奏する。すなわち、本発明は、２段加速のうち１回目のピークを抑制することができ、最大変速比を用いた加速により生じる飛び出し感を抑制することができるという効果を奏する。
【００２３】
また、この発明によれば、過給圧の所定の範囲は、過給圧が最大過給圧になる圧力を含む範囲であるので、過給遅れの後に生じる急な加速を抑えることができるという効果を奏する。すなわち、本発明は、２段加速のうち２回目のピークを抑制することができ、過給器が最大過給圧に近づき、過給器が動作することによりエンジンの出力が増加することにより生じる急加速を抑制することができるという効果を奏する。
【発明を実施するための最良の形態】
【００２４】
以下に、本発明にかかる過給器付きエンジン搭載車両の変速制御装置および変速制御方法並びにプログラムの実施の形態を図面に基づいて詳細に説明する。なお、この実施の形態によりこの発明が限定されるものではない。
【００２５】
［本発明の概要］
以下、本発明の概要について図２〜図４を参照して説明し、その後、本発明の構成および処理等について詳細に説明する。ここで、図２は、本発明の基本処理を示すフロー図である。また、図３は、本発明の発進加速の一例を示す図である。また、図４は、本発明の発進加速時の車速に対するエンジン回転数を示す図である。
【００２６】
本発明は、概略的に、以下の基本的特徴を有する。すなわち、本発明は、無段変速機に接続された、過給器付きエンジン搭載車両の変速制御装置として構成される。
【００２７】
図２に示すように、本発明は、過給圧検出部を制御して過給圧を取得する（ステップＳＡ−１）。
【００２８】
ここで、「過給圧」とは、過給器（例えば、ターボチャージャー等）がエンジンに空気を送るときの圧力を意味する。本発明において、過給圧は、過給圧検出部にて検出された過給圧を示す絶対値や変化率等の数値データであり、例えば、Ｍｐａ等の単位で表される。
【００２９】
そして、本発明は、取得された過給圧が所定の範囲内にあるか否かを判定する（ステップＳＡ−２）。
【００３０】
ここで、本発明において、過給圧の所定の範囲は、過給圧が負圧から正圧になる前後の圧力を含む一定の範囲であってもよく、また、過給圧が最大過給圧になる前後の圧力を含む一定の範囲であってもよい。
【００３１】
そして、本発明は、過給圧が所定の範囲内にあると判定された場合（ステップＳＡ−２：Ｙｅｓ）、変速比を一時的にハイギヤ側に変更するよう無段変速機を制御し（ステップＳＡ−３）、処理を終える。
【００３２】
一方、本発明は、過給圧が所定の範囲内にないと判定された場合（ステップＳＡ−２：Ｎｏ）、変速比を変更するよう無段変速機を制御せずに、処理を終える。
【００３３】
ここで、図３を参照し、本発明の発進加速の一例について説明する。
【００３４】
図３に示すように、本発明は、発進加速においては、２段加速のうち１回目のピーク（図３（ｅ）のＡが示すピーク）と２回目のピーク（図３（ｅ）のＣが示すピーク）が生じる所定の範囲（図３（ｃ）の（１）および（２）の範囲）を、過給圧をモニタリングすることで検出する。そして、本発明は、その所定の範囲（すなわち、過給圧が負圧から正圧になる前後の圧力を含む一定の範囲（図３（ｃ）の（１）の範囲）、および、過給圧が最大過給圧になる前後の圧力を含む一定の範囲（図３（ｃ）の（２）の範囲））において無段変速機を一時的にハイギヤ側に変更することにより（図３（ｄ）の点線部分参照）、一時的にエンジンの回転数を下げて一時的にトルクを減少させる。これにより、本発明は、従来技術では抑制することができなかった２段加速において生じるピーク（図３（ｅ）の実線部分参照）を抑えることにより（図３（ｅ）の点線部分参照）、過給遅れにより生じる２段加速を抑制することができる。すなわち、本発明は、図３（ｅ）に示すように、Ａ，Ｂ，Ｃのピーク点の偏差を一定値以下にすることができ、加速の落込みや２段加速を運転者等に感じさせないようにすることができる。これにより、本発明は、スムーズな加速を実現でき、加速フィーリングを向上させることができる。
【００３５】
さらに、図４を参照し、本発明における発進加速時の車速に対するエンジン回転数について説明する。
【００３６】
図４に示すように、本発明は、発進加速時に２回、すなわち、過給圧が負圧から正圧になる前後の１回目（図４の（１）が示す点線部分を参照）と、過給圧が最大過給圧になる前後の２回目（図４の（２）が示す点線部分を参照）、変速比を一時的にハイギヤ側に変更するよう無段変速機を制御するが、エンジン回転数の変化量は微小であるため、ドライバビリティを悪化させることはない。
【００３７】
また、図示しないが、本発明は、図４に示す発進加速時のみでなく、所定車速以上における加速時（例えば、追い越し加速時等）においても適用される。この場合、所定の車速以上ではロックアップクラッチが結合（ロックアップが係合）されているため、エンジン回転数が落ちにくく、上述の過給圧が負圧から正圧になる前後において生じる２段加速のうち１回目のピークが発生しない。そのため、本発明は、所定車速以上における加速時においては、過給圧が最大過給圧になる前後に生じる２回目のピークのみを抑えている。
【００３８】
なお、本発明は、アクセル開度が小さい場合、車両の前後加速度も小さくなるため上述のピーク（図４の（１）および（２）が示すピーク）が生じないので、無段変速機の変速比を変更しなくてよい。
【００３９】
このように、本発明は、過給器付きエンジンと無段変速機の組み合わせにおいて、過給遅れ（ターボラグ）を考慮した変速比を設定することにより、スムーズな加速を実現し、加速フィーリングを向上させている。具体的には、本発明は、過給器付きエンジン搭載車両において、過給遅れを考慮し、無段変速機の変速比を一時的にハイギヤ側に変更することにより、車両前後加速度をスムーズにし、加速フィーリングを向上させるものである。なお、本発明において、一時的にハイギヤ側に変更するか否かは、車速およびアクセル開度の他に過給圧で判定する。そして、本発明は、過給圧が所定の範囲内にあると判定された場合のみ、変速比を一時的にハイギヤ側に変更している。
【００４０】
以上で、本発明の概要の説明を終える。
【００４１】
［変速制御装置１００の構成］
次に、本変速制御装置１００の構成について図５〜図７を参照して説明する。図５は、本変速制御装置１００の構成の一例を示すブロック図であり、該構成のうち本発明に関係する部分のみを概念的に示している。また、図６および図７は、変速比変更条件ファイル１０６ａに格納される変速比変更条件の一例を示す図である。
【００４２】
図５に示すように、本変速制御装置１００は、概略的に、過給圧検出部１０と車速検出部１２とアクセル開度検出部１４と無段変速機２０とに通信可能に接続され、制御部１０２と記憶部１０６を備えて構成される。なお、本発明において、本変速制御装置１００は、過給器付きエンジン搭載車両（図示なし）において用いられる。
【００４３】
図５において、過給圧検出部１０は、エンジンの吸気通路内に配置された圧力センサ等であり、過給器がエンジンに空気を送るときの圧力を検出する。また、車速検出部１２は、車両の速度を検出する車速センサ等であり、車速に比例する無段変速機２０の出力軸の回転数を検出する。また、アクセル開度検出部１４は、アクセルペダルの踏込量に対応する、エンジンの吸気通路内に配置されたスロットルバルブの開度を検出する。また、無段変速機２０は、前後進切替機構とトルクコンバータとを含んで構成されたトランスミッションであり、プーリーの溝幅を変更することで、変速ショックを生じることなく変速比を無段階で連続的に自動変速する。
【００４４】
また、図示しないが、過給器（ターボチャージャ等）は、タービンホイールとシャフトとコンプレッサホイールとを含んで構成される。ここで、タービンホイールは、排気通路上に回転可能に設置されており、排気通路を流れる排気がタービンホイールを通過すると、タービンホイールが回転し、シャフトを介して、吸気通路上に回転可能に設置されたコンプレッサホイールを回転させる。これにより、過給器付きエンジンは、エンジンへ送りこむ空気量を増加させることにより、エンジンの出力を上げる。
【００４５】
また、図５において、記憶部１０６は、固定ディスク装置等のストレージ手段であり、各種のデータベースやテーブル（変速比変更条件ファイル１０６ａ等）を格納する。例えば、記憶部１０６は、各種処理に用いる各種のプログラムやテーブルやファイルやデータベースや、無段変速機２０の変速比を変更するか否かを判定するために必要な情報（例えば、車速やアクセル開度や過給圧に関する所定の閾値や範囲など）等を格納する。
【００４６】
これら記憶部１０６の各構成要素のうち、変速比変更条件ファイル１０６ａは、制御部１０２が、過給圧検出部１０にて検出された過給圧、車速検出部１２にて検出された車速、および、アクセル開度検出部１４にて検出されたアクセル開度に基づいて、変速比を変更するか否かを判定する際に用いる、所定の閾値や範囲等の変速比変更条件を記憶する変速比変更条件記憶手段である。
【００４７】
ここで、図６および図７を参照し、変速比変更条件ファイル１０６ａに格納される所定の閾値や範囲等の変速比変更条件の一例について以下に説明する。
【００４８】
図６および図７に示すように、変速比変更条件ファイル１０６ａは、車速（ＳＰＤ）が所定の閾値（Ｘ）未満の場合（ＳＰＤ＜Ｘ）と、車速（ＳＰＤ）が所定の閾値（Ｘ）以上の場合（ＳＰＤ≧Ｘ）とに分けて、アクセル開度（ＰＡＰ）に関する所定の閾値（α、β
）と、過給圧（ＰＭ）に関する所定の範囲（ＰＭ＜ａ，ａ≦ＰＭ≦ｂ，ｂ＜ＰＭ＜ｃ，ｃ≦ＰＭ≦ＰＭｍａｘ，ＰＭ＜ｄ，ｄ≦ＰＭ≦ＰＭｍａｘ）と、変速比のハイギヤ側への変更の有無を規定するコマンド（変更する、変更しない）と、を対応付けて格納している。一例として、図６に示すように、変速比変更条件ファイル１０６ａは、車速が所定の閾値未満（ＳＰＤ＜Ｘ）であり、かつ、アクセル開度が所定の閾値以上（ＰＡＰ≧α）であり、かつ、過給圧が所定の範囲内（ａ≦ＰＭ≦ｂ）にある場合、変速比をハイギヤ側へ変更するよう無段変速機２０へ指示することを規定するコマンド（変更する）を記憶している。また、一例として、図７に示すように、変速比変更条件ファイル１０６ａは、車速が所定の閾値以上（ＳＰＤ≧Ｘ）であり、かつ、アクセル開度が所定の閾値未満（ＰＡＰ＜β）であり、かつ、過給圧が所定の範囲外（ＰＭ＜ｄ）にある場合、変速比を維持するため変速比を変更しないこと規定するコマンド（変更しない）を記憶している。
【００４９】
また、図５に戻り、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、過給圧取得部１０２ａ、過給圧判定部１０２ｂ、および、変速機制御部１０２ｃを備えて構成されている。
【００５０】
このうち、過給圧取得部１０２ａは、過給圧検出部１０を制御して過給圧を取得する過給圧取得手段である。
【００５１】
また、過給圧判定部１０２ｂは、過給圧取得部１０２ａにより取得された過給圧が所定の範囲内にあるか否かを判定する過給圧判定手段である。ここで、過給圧の所定の範囲は、過給圧が負圧から正圧になる前後の圧力を含む一定の範囲（例えば、図６に示す「ａ≦ＰＭ≦ｂ」等）であってもよく、また、過給圧が最大過給圧になる前後の圧力を含む一定の範囲（例えば、図６に示す「ｃ≦ＰＭ≦ＰＭｍａｘ」や、図７に示す「ｄ≦ＰＭ≦ＰＭｍａｘ」等）をあってもよい。
【００５２】
また、変速機制御部１０２ｃは、過給圧判定部１０２ｂにより過給圧が所定の範囲内にあると判定された場合、変速比を一時的にハイギヤ側に変更するよう無段変速機２０を制御する変速機制御手段である。
【００５３】
以上で、本変速制御装置１００の構成の説明を終える。
【００５４】
［変速制御装置１００の処理］
続いて、このように構成された本実施の形態における本変速制御装置１００の処理の一例について、以下に図８を参照して詳細に説明する。ここで、図８は、本実施の形態における変速制御処理の一例を示すフローチャートである。
【００５５】
［変速制御処理］
図８に示すように、まず、制御部１０２は、車速検出部１２を制御して車速（ＳＰＤ）を取得し、取得された車速が、変速比変更条件ファイル１０６ａに記憶された所定の閾値未満（ＳＰＤ＜Ｘ）であるか否かを判定する（ステップＳＢ−１）。
【００５６】
そして、制御部１０２の処理により取得された車速が所定の閾値未満（ＳＰＤ＜Ｘ）であると判断された場合（ステップＳＢ−１：Ｙｅｓ）、制御部１０２は、アクセル開度検出部１４を制御してアクセル開度（ＰＡＰ）を取得し、取得されたアクセル開度が、変速比変更条件ファイル１０６ａに記憶された所定の閾値以上（ＰＡＰ≧α）であるか否かを判定する（ステップＳＢ−２）。
【００５７】
そして、制御部１０２の処理により取得されたアクセル開度が所定の閾値以上（ＰＡＰ≧α）であると判断された場合（ステップＳＢ−２：Ｙｅｓ）、過給圧取得部１０２ａは、過給圧検出部１０を制御して過給圧（ＰＭ）を取得して、過給圧判定部１０２ｂは、過給圧取得部１０２ａの処理により取得された過給圧が、変速比変更条件ファイル１０６ａに記憶された所定の範囲内（ａ≦ＰＭ≦ｂ，ｃ≦ＰＭ≦ＰＭｍａｘ（最大過給圧））にあるか否か（ＰＭ＜ａ，ｂ＜ＰＭ＜ｃ）を判断する（ステップＳＢ−３）。
【００５８】
そして、過給圧判定部１０２ｂの処理により過給圧が所定の範囲内（ａ≦ＰＭ≦ｂ，ｃ≦ＰＭ≦ＰＭｍａｘ（最大過給圧））にあると判定された場合（ステップＳＢ−３：Ｙｅｓ）、変速機制御部１０２ｃは、ステップＳＢ−１にて制御部１０２の処理により取得された車速（ＳＰＤ）、ステップＳＢ−２にて制御部１０２の処理により取得されたアクセル開度（ＰＡＰ）、および、ステップＳＢ−３に取得された過給圧（ＰＭ）に基づき、変速比変更条件ファイル１０６ａに記憶されたコマンドを検索し、検索されたコマンド（変更する）を実行することにより、変速比を一時的にハイギヤ側に変更するよう無段変速機２０を制御し（ステップＳＢ−４）、変速制御処理をリターンする。
【００５９】
一方、ステップＳＢ−３にて、過給圧判定部１０２ｂの処理により過給圧が所定の範囲外（ＰＭ＜ａ，ｂ＜ＰＭ＜ｃ）にあると判定された場合（ステップＳＢ−３：Ｎｏ）、変速機制御部１０２ｃは、ステップＳＢ−１にて制御部１０２の処理により取得された車速（ＳＰＤ）、ステップＳＢ−２にて制御部１０２の処理により取得されたアクセル開度（ＰＡＰ）、および、ステップＳＢ−３に取得された過給圧（ＰＭ）に基づき、変速比変更条件ファイル１０６ａに記憶されたコマンドを検索し、検索されたコマンド（変更しない）を実行することにより、変速比を変更せずに（ステップＳＢ−５）、変速制御処理をリターンする。
【００６０】
ここで、ステップＳＢ−１に戻り、制御部１０２の処理により取得された車速が所定の閾値以上（ＳＰＤ≧Ｘ）であると判断された場合（ステップＳＢ−１：Ｎｏ）、制御部１０２は、アクセル開度検出部１４を制御してアクセル開度（ＰＡＰ）を取得して、取得されたアクセル開度が、変速比変更条件ファイル１０６ａに記憶された所定の閾値以上（ＰＡＰ≧β）であるか否かを判断する（ステップＳＢ−６）。
【００６１】
そして、制御部１０２の処理により取得されたアクセル開度が所定の閾値以上（ＰＡＰ≧β）であると判断された場合（ステップＳＢ−６：Ｙｅｓ）、過給圧取得部１０２ａは、過給圧検出部１０を制御して過給圧（ＰＭ）を取得して、過給圧判定部１０２ｂは、過給圧取得部１０２ａの処理により取得された過給圧が、変速比変更条件ファイル１０６ａに記憶された所定の範囲内（ｄ≦ＰＭ≦ＰＭｍａｘ（最大過給圧））にあるか否か（ＰＭ＜ｄ）を判断する（ステップＳＢ−７）。
【００６２】
そして、過給圧判定部１０２ｂの処理により過給圧が所定の範囲内（ｄ≦ＰＭ≦ＰＭｍａｘ（最大過給圧）にあると判定された場合（ステップＳＢ−７：Ｙｅｓ）、変速機制御部１０２ｃは、ステップＳＢ−１にて制御部１０２の処理により取得された車速（ＳＰＤ）、ステップＳＢ−６にて制御部１０２の処理により取得されたアクセル開度（ＰＡＰ）、および、ステップＳＢ−７に取得された過給圧（ＰＭ）に基づき、変速比変更条件ファイル１０６ａに記憶されたコマンドを検索し、検索されたコマンド（変更する）を実行することにより、変速比を一時的にハイギヤ側に変更するよう無段変速機２０を制御し（ステップＳＢ−８）、変速制御処理をリターンする。
【００６３】
一方、ステップＳＢ−７にて、過給圧判定部１０２ｂの処理により過給圧が所定の範囲外（ＰＭ＜ｄ）にあると判定された場合（ステップＳＢ−７：Ｎｏ）、変速機制御部１０２ｃは、ステップＳＢ−１にて制御部１０２の処理により取得された車速（ＳＰＤ）、ステップＳＢ−６にて制御部１０２の処理により取得されたアクセル開度（ＰＡＰ）、および、ステップＳＢ−７に取得された過給圧（ＰＭ）に基づき、変速比変更条件ファイル１０６ａに記憶されたコマンドを検索し、検索されたコマンド（変更しない）を実行することにより、変速比を変更せずに（ステップＳＢ−９）、変速制御処理をリターンする。
【００６４】
以上で、本変速制御装置１００の処理の説明を終える。
【００６５】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００６６】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６８】
また、変速制御装置１００に関して、図示の各構成要素は機能概念的なものであり、必ずしも物理的に図示の如く構成されていることを要しない。
【００６９】
例えば、変速制御装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて変速制御装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００７０】
また、このコンピュータプログラムは、変速制御装置１００に対して任意のネットワークを介して接続されたアプリケーションプログラムサーバに記憶されていてもよく、必要に応じてその全部または一部をダウンロードすることも可能である。
【００７１】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００７２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００７３】
記憶部１０６に格納される各種のデータベース等（変速比変更条件ファイル１０６ａ等）は、ＲＡＭ、ＲＯＭ等のメモリ装置、ハードディスク等の固定ディスク装置、フレキシブルディスク、光ディスク等のストレージ手段であり、各種処理に用いる各種のプログラムやテーブルやデータベースや、無段変速機２０の変速比を変更するか否かを判定するために必要な情報（例えば、車速やアクセル開度や過給圧に関する所定の閾値や範囲など）等を格納する。
【００７４】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【００７５】
以上詳述に説明したように、本発明によれば、過給遅れにより生じる２段加速を抑制することで、スムーズな加速を実現でき、加速フィーリングを向上させることができる過給器付きエンジン搭載車両の変速制御装置および変速制御方法を提供することができ、自動車産業分野などの様々な分野において極めて有用である。
【図面の簡単な説明】
【００７６】
【図１】従来技術における発進加速の一例を示す図である。
【図２】本発明の基本処理を示すフロー図である。
【図３】本発明の発進加速の一例を示す図である。
【図４】本発明の発進加速時の車速に対するエンジン回転数を示す図である。
【図５】本変速制御装置１００の構成の一例を示すブロック図である。
【図６】変速比変更条件ファイル１０６ａに格納される変速比変更条件の一例を示す図である。
【図７】変速比変更条件ファイル１０６ａに格納される変速比変更条件の一例を示す図である。
【図８】本実施の形態における変速制御処理の一例を示すフローチャートである。
【符号の説明】
【００７７】
１０  過給圧検出部
１２  車速検出部
１４  アクセル開度検出部
２０  無段変速機
１００  変速制御装置
１０２  制御部
１０２ａ  過給圧取得部
１０２ｂ  過給圧判定部
１０２ｃ  変速機制御部
１０６  記憶部
１０６ａ  変速比変更条件ファイル
【図１】
2009299818.tif 000003
【図２】
2009299818.tif 000004
【図３】
2009299818.tif 000005
【図４】
2009299818.tif 000006
【図５】
2009299818.tif 000007
【図６】
2009299818.tif 000008
【図７】
2009299818.tif 000009
【図８】
2009299818.tif 000010